(57)【要約】  無線アクセスネットワークのノード間でのメッセージ処理方法が、制御ノードがサービングノードに報知周期を携帯している、システム情報を複数回報知する要求メッセージを送信するステップと、制御ノードが、サービングノードが要求メッセージに応じて報知した、サービングノードが位置するシステムのシステム情報が変更した時又は報知周期に達した時に報知されたシステム情報を受信するステップと、前記制御ノードが前記報知周期に従って複数回報知されたシステム情報の受信番号を検査し、前記受信番号に基づいて前記サービングノードの無線アクセスネットワーク情報管理ＲＩＭプロセスと同期するか否かを判定するステップと、制御ノードがサービングノードのＲＩＭプロセスと同期していない時、ＲＩＭプロセスを再び開始するステップとを含む。ＲＩＭプロセスの中にサービングノードに異常が発生した時、制御ノードが感知できない問題を解決できる。
2015515233.tif 000002
【特許請求の範囲】
【請求項１】
制御ノードは、サービングノードに報知周期を携帯している、システム情報を複数回報知する要求メッセージを送信するステップと、
前記制御ノードは、前記サービングノードが前記要求メッセージに応じて報知した、前記サービングノードが位置するシステムのシステム情報が変更した時又は前記報知周期に達した時に報知されたシステム情報を受信するステップと、
前記制御ノードは、前記報知周期に従って複数回報知されたシステム情報の受信番号を検査し、前記受信番号に基づいて前記サービングノードの無線アクセスネットワーク情報管理ＲＩＭプロセスと同期しているか否かを判定するステップと、
前記制御ノードは、前記サービングノードのＲＩＭプロセスと同期していない時、ＲＩＭプロセスを再び開始するステップとを含む無線アクセスネットワークのノード間でのメッセージ処理方法。
【請求項２】
前記受信番号に基づいて前記サービングノードの無線アクセスネットワーク情報管理ＲＩＭプロセスと同期しているか否かを判定するステップは、
前記制御ノードが、前記受信番号が増加し且つ受信ウィンドウ内であると判定すると、前記サービングノードと無線アクセスネットワーク情報管理ＲＩＭプロセスの同期状態を保持していると認定し、そうではないと、前記サービングノードのＲＩＭプロセスと同期していないと認定することを含む請求項１に記載の無線アクセスネットワークのノード間でのメッセージ処理方法。
【請求項３】
前記制御ノードが、前記報知周期を更新する際、前記サービングノードにＲＩＭプロセスの停止を通知し、前記サービングノードに更新された報知周期を携帯している、システム情報を複数回報知する要求メッセージを送信するプロセスを再び開始するステップを更に含む請求項１に記載の無線アクセスネットワークのノード間でのメッセージ処理方法。
【請求項４】
前記制御ノードが前記サービングノードのＲＩＭプロセスと同期していないと認定するステップは、
前記制御ノードが受信した複数のシステム情報の受信番号が増加していなく、且つ未増加の回数が予定の最高回数に達したと確定した時、前記サービングノードのＲＩＭプロセスと同期していないと認定することを含む請求項２又は３に記載の無線アクセスネットワークのノード間でのメッセージ処理方法。
【請求項５】
前記制御ノードが受信した複数のシステム情報の受信番号が増加していなく、且つ未増加の回数が予定の最高回数に達したと確定した時、前記サービングノードのＲＩＭプロセスと同期していないと認定するステップは、
前記制御ノードが今回に受信したシステム情報の受信番号が増加していないと判定すると、受信番号の未増加回数を示す識別フィールド又は計数機の値に１を加算し、そうではないと、前記識別フィールド又は前記計数機の値を取り除いてプロセスを終了することと、
前記識別フィールド又は前記計数機の値が予定の最高回数に達したと、前記サービングノードのＲＩＭプロセスと同期していないと認定し、そうでないと、プロセスを終了することとを含む請求項４に記載の無線アクセスネットワークのノード間でのメッセージ処理方法。
【請求項６】
前記制御ノードが前記報知周期を更新する際、前記サービングノードにＲＩＭプロセスの停止を通知し、前記サービングノードにシステム情報を複数回報知する要求メッセージを送信するプロセスを再び開始するステップは、
前記制御ノードが前記報知周期の更新命令を受信した後、前記命令に応じて更新された報知周期を取得することと、
前記制御ノードが、前記サービングノードが停止要求メッセージに応じてＲＩＭプロセスのシステム情報報知プロセスを停止するように、前記サービングノードに前記停止要求メッセージを送信し、前記サービングノードから返信された停止証明メッセージを受信することと、
前記制御ノードが、前記停止証明メッセージを受信した後、前記サービングノードが前記更新された報知周期に従って前記サービングノードが位置するシステムのシステム情報を報知するように、前記サービングノードに前記更新された報知周期を携帯している、システム情報を複数回報知する要求メッセージのプロセスを再び開始することとを含む請求項３に記載の無線アクセスネットワークのノード間でのメッセージ処理方法。
【請求項７】
サービングノードに報知周期を携帯している、システム情報を複数回報知する要求メッセージを送信する送信モジュールと、
前記サービングノードが前記要求メッセージに応じて報知した、前記サービングノードが位置するシステムのシステム情報が変更した時又は前記報知周期に達した時に報知されたシステム情報を受信する受信モジュールと、
前記報知周期に従って複数回報知されたシステム情報の受信番号を検査し、前記受信番号に基づいて前記サービングノードの無線アクセスネットワーク情報管理ＲＩＭプロセスと同期するか否かを判定する判定モジュールと、
前記サービングノードのＲＩＭプロセスと同期していない時、ＲＩＭプロセスを再び開始する処理モジュールと、を含む制御ノード。
【請求項８】
前記判定モジュールは、受信番号が増加し且つ受信ウィンドウ内であると判定すると、前記サービングノードと互いに無線アクセスネットワーク情報管理ＲＩＭプロセスの同期状態を保持していると認定し、そうではないと、前記サービングノードのＲＩＭプロセスと同期していないと認定する請求項７に記載の制御ノード。
【請求項９】
前記報知周期を更新し、報知周期を更新する際に前記サービングノードにＲＩＭプロセスのシステム情報報知プロセスの停止を通知し、前記サービングノードに更新された報知周期を携帯している、システム情報を複数回報知する要求メッセージを送信するプロセスを再び開始する更新モジュールを更に含む請求項７又は８に記載の制御ノード。
【請求項１０】
前記判定モジュールは、前記サービングノードのＲＩＭプロセスに同期していないと確定した時、さらに、受信した複数のシステム情報の受信番号が増加していなく、且つ未増加の回数が予定の最高回数に達したと確定した時、前記サービングノードのＲＩＭプロセスと同期していないと認定する請求項７又は８に記載の制御ノード。
【請求項１１】
前記更新モジュールは、
受信した前記報知周期の更新命令に応じて、更新された報知周期を取得する取得ユニットと、
前記サービングノードが停止要求メッセージに応じてＲＩＭプロセスのシステム情報報知プロセスを停止するように、前記サービングノードに前記停止要求メッセージを送信し、前記サービングノードから返信された停止証明メッセージを受信する送信サブユニットと、
前記停止証明メッセージを受信した後、前記サービングノードが前記更新された報知周期に従って前記サービングノードが位置するシステムのシステム情報を報知するように、前記サービングノードに前記更新された報知周期を携帯している、システム情報を複数回報知する要求メッセージのプロセスを開始するように、前記送信モジュールを再び制御する制御サブユニットとを含む請求項９に記載の制御ノード。
【発明の詳細な説明】
【技術分野】
【０００１】
本発明は、長期進化型（Long Term Evolution、ＬＴＥと略称）強化のユニバーサル地上無線アクセスネットワーク技術分野に関し、特に、無線アクセスネットワークのノード間でのメッセージ処理方法及び制御ノードに関する。
【背景技術】
【０００２】
４８.０１８プロトコルに無線アクセスネットワークの情報管理（RAN Information Management、ＲＩＭと略称）プロセスが定義され、通用のＲＩＭプロセスはＧＥＲＡＮ（GSM(登録商標) EDGE Radio Access Network）、発展型ユニバーサル地上無線アクセスネットワーク（evolved universal terrestrial radio access network、Ｅ−ＵＴＲＡＮと略称）、ユニバーサル地上無線アクセスネットワーク（universal terrestrial radio access network、Ｕ−ＴＲＡＮと略称）のネットワークにおけるＲＡＮノード間のコアネットワークを介した情報のインタラクトに用いられる。情報を要求するＲＡＮノードが制御ノード（controlling node）と呼ばれ、情報を提供するノードがサービングノード（serving node）と呼ばれ、ＲＩＭの応用に関連するＲＡＮノードの間は互いに制御ノード又はサービングノードになる。ＲＡＮノードは、情報をＲＩＭコンテナ（container）にカプセル化して、コアネットワークとの間で透過的に伝送する。ＲＩＭプロセスを介して、ネットワークがターゲットセルの関連する情報を取得した後、ハンドオーバー命令又はＣＣＯ（セル変更命令）により元のセルでアクティブ状態であるＵＥにネットワーク間でセルを変更することを指示することによって、ＵＥがターゲットセルに高速にアクセスすることができ、ＵＥのサービスが中断される時間を短縮し、パケットデータサービスの性能を向上させる。
【０００３】
しかし、サービングノードがリセットされるか、又は制御ノードとサービングノードのリンクに異常が発生した場合、今のＲＩＭプロトコルにおける制御ノードは感知することができず、制御ノードに記憶していたシステム情報が無効になるか、さらにはエラーが発生し、異なるシステムへのハンドオーバー又はリダイレクトの成功率及び性能を悪化させてしまう。
【発明の概要】
【発明が解決しようとする課題】
【０００４】
本発明は、サービングノードに異常が発生した場合に制御ノードが感知することができない問題を解決できる無線アクセスネットワークのノード間でのメッセージ処理方法及び制御ノードを提供する。
【課題を解決するための手段】
【０００５】
本発明の一態様によると、制御ノードは、サービングノードに報知周期を携帯している、システム情報を複数回報知する要求メッセージを送信するステップと、前記制御ノードは、前記サービングノードが前記要求メッセージに応じて報知した、前記サービングノードが位置するシステムのシステム情報が変更した時又は前記報知周期に達した時に報知されたシステム情報を受信するステップと、前記制御ノードは、前記報知周期に従って複数回報知されたシステム情報の受信番号を検査し、前記受信番号に基づいて前記サービングノードの無線アクセスネットワーク情報管理ＲＩＭプロセスと同期しているか否かを判定するステップと、前記制御ノードは、前記サービングノードのＲＩＭプロセスと同期していない時、ＲＩＭプロセスを再び開始するステップとを含む無線アクセスネットワークのノード間でのメッセージ処理方法を提供する。
【０００６】
前記受信番号に基づいて前記サービングノードの無線アクセスネットワーク情報管理ＲＩＭプロセスと同期しているか否かを判定するステップは、前記制御ノードが、前記受信番号が増加し且つ受信ウィンドウ内であると判定すると、前記サービングノードと無線アクセスネットワーク情報管理ＲＩＭプロセスの同期状態を保持していると認定し、そうではないと、前記サービングノードのＲＩＭプロセスと同期していないと認定するステップを含む。
【０００７】
上記方法には、前記制御ノードが、前記報知周期を更新する際、前記サービングノードにＲＩＭプロセスの停止を通知し、前記サービングノードに更新された報知周期を携帯している、システム情報を複数回報知する要求メッセージを送信するプロセスを再び開始するステップを更に含む。
【０００８】
前記制御ノードが前記サービングノードのＲＩＭプロセスと同期していないと認定するステップは、前記制御ノードが受信した複数のシステム情報の受信番号が増加していなく、且つ未増加の回数が予定の最高回数に達したと確定した時、前記サービングノードのＲＩＭプロセスと同期していないと認定することを含む。
【０００９】
前記制御ノードが受信した複数のシステム情報の受信番号が増加していなく、且つ未増加の回数が予定の最高回数に達したと確定した時、前記サービングノードのＲＩＭプロセスと同期していないと認定するステップは、前記制御ノードが今回に受信したシステム情報の受信番号が増加していないと判定すると、受信番号の未増加回数を示す識別フィールド又は計数機の値に１を加算し、そうではないと、前記識別フィールド又は前記計数機の値を取り除いてプロセスを終了することと、前記識別フィールド又は前記計数機の値が予定の最高回数に達したと、前記サービングノードのＲＩＭプロセスと同期していないと認定し、そうでないと、プロセスを終了することとを含む。
【００１０】
前記制御ノードが前記報知周期を更新する際、前記サービングノードにＲＩＭプロセスの停止を通知し、前記サービングノードにシステム情報を複数回報知する要求メッセージを送信するプロセスを再び開始するステップは、前記制御ノードが前記報知周期の更新命令を受信した後、前記命令に応じて更新された報知周期を取得することと、前記制御ノードが、前記サービングノードが停止要求メッセージに応じてＲＩＭプロセスのシステム情報報知プロセスを停止するように、前記サービングノードに前記停止要求メッセージを送信し、前記サービングノードから返信された停止証明メッセージを受信することと、前記制御ノードが、前記停止証明メッセージを受信した後、前記サービングノードが前記更新された報知周期に従って前記サービングノードが位置するシステムのシステム情報を報知するように、前記サービングノードに前記更新された報知周期を携帯している、システム情報を複数回報知する要求メッセージのプロセスを再び開始することとを含む。
【００１１】
本発明の他の一態様によると、サービングノードに報知周期を携帯している、システム情報を複数回報知する要求メッセージを送信する送信モジュールと、前記サービングノードが前記要求メッセージに応じて報知した、前記サービングノードが位置するシステムのシステム情報が変更した時又は前記報知周期に達した時に報知されたシステム情報を受信する受信モジュールと、前記報知周期に従って複数回報知されたシステム情報の受信番号を検査し、前記受信番号に基づいて前記サービングノードの無線アクセスネットワーク情報管理ＲＩＭプロセスと同期するか否かを判定する判定モジュールと、前記サービングノードのＲＩＭプロセスと同期していない時、ＲＩＭプロセスを再び開始する処理モジュールと、を備える制御ノードを提供する。
【００１２】
前記判定モジュールは、受信番号が増加し且つ受信ウィンドウ内であると判定すると、前記サービングノードと互いに無線アクセスネットワーク情報管理ＲＩＭプロセスの同期状態を保持していると認定し、そうではないと、前記サービングノードのＲＩＭプロセスと同期していないと認定する。
【００１３】
上記制御ノードは、前記報知周期を更新し、報知周期を更新する際に前記サービングノードにＲＩＭプロセスのシステム情報報知プロセスの停止を通知し、前記サービングノードに更新された報知周期を携帯している、システム情報を複数回報知する要求メッセージを送信するプロセスを再び開始する更新モジュールを更に含む。
【００１４】
前記判定モジュールは、前記サービングノードのＲＩＭプロセスに同期していないと確定した時、さらに、受信した複数のシステム情報の受信番号が増加していなく、且つ未増加の回数が予定の最高回数に達したと確定した時、前記サービングノードのＲＩＭプロセスと同期していないと認定する。
【００１５】
前記更新モジュールは、受信した前記報知周期の更新命令に応じて、更新された報知周期を取得する取得ユニットと、前記サービングノードが停止要求メッセージに応じてＲＩＭプロセスのシステム情報報知プロセスを停止するように、前記サービングノードに前記停止要求メッセージを送信し、前記サービングノードから返信された停止証明メッセージを受信する送信サブユニットと、前記停止証明メッセージを受信した後、前記サービングノードが前記更新された報知周期に従って前記サービングノードが位置するシステムのシステム情報を報知するように、前記サービングノードに前記更新された報知周期を携帯している、システム情報を複数回報知する要求メッセージのプロセスを開始するように、前記送信モジュールを再び制御する制御サブユニットとを含む。
【発明の効果】
【００１６】
上記技術案において、制御ノードがサービングノードとのサービングノードにシステム情報の報知を要求する要求メッセージに報知周期を携帯し、サービングノードのシステム情報が変更した時又は制御ノードが要求した報知周期に達した時、サービングノードがいずれもシステム情報を制御ノードに報知する必要があることによって、制御ノードは所定の時間間隔（一つ又は複数の報知周期）内にサービングノードが報知したシステム情報を複数回受信できていないと、サービングノードに異常が発生したと認定し、制御ノードはＲＩＭプロセスを再び開始することによって取得したシステム情報の有効性を保証し、サービングノードに異常が発生した時、制御ノードはサービングノードの異常を感知でき、従って、異なるシステムのシステム情報が一致しないことで異なるシステムでのハンドオーバー又はリダイレクトに失敗する失敗率を有効に低減できる。
【図面の簡単な説明】
【００１７】
【図１】図１は、本発明の実施例に係る無線アクセスネットワークのノード間でのメッセージ処理方法を示すフローチャートである。
【図２】図２は、本発明の実施例に係る制御ノードがシステム情報を複数回報知する要求を開始すること及びサービングノードがシステム情報を報知することを示すフローチャートである。
【図３】図３は、本発明の実施例に係る制御ノードが報知周期に従ってサービングノードのＲＩＭプロセスと同期しているか否かを検査することを示すフローチャートである。
【図４】図４は、本発明の実施例に係る制御ノードが報知周期を修正する際にサービングノードに通知することを示すフローチャートである。
【図５】図５は、本発明の実施例に係る制御ノードの構成を示す図である。
【発明を実施するための形態】
【００１８】
本発明が解決しようとする技術課題、技術案及びそのメリットを一層明確にするため、以下、図面及び具体的な実施例を結合して詳しく説明する。
図１は、本発明の実施例に係る無線アクセスネットワークのノード間でのメッセージ処理方法を示すフローチャートであり、図１に示すように、以下のステップを含む。
制御ノードは、サービングノードにシステム情報を複数回報知する要求メッセージを送信し、当該要求メッセージには報知周期を携帯している（ステップＳ１１）。
【００１９】
制御ノードは、サービングノードが要求メッセージに応じて報知したシステム情報を受信し、ここで、システム情報は、サービングノードが位置するシステムのシステム情報が変更した時又は報知周期に達した時に報知されたものである（ステップＳ１２）。
【００２０】
制御ノードは、報知周期に従って複数回報知されたシステム情報の受信番号を検査し、また、受信番号に基づいてサービングノードの無線アクセスネットワーク情報管理ＲＩＭプロセスと同期するか否かを判定し（ステップＳ１３）、具体的には、受信番号が増加すると共に受信ウィンドウ内であると、サービングノードと無線アクセスネットワーク情報管理ＲＩＭプロセスの同期状態を保持していると認定し、そうでないと、サービングノードのＲＩＭプロセスと同期していないと認定する。
【００２１】
制御ノードは、サービングノードのＲＩＭプロセスと同期していない場合、ＲＩＭプロセスを再び開始する（ステップＳ１４）。
【００２２】
上記実施例において、要求メッセージは、制御ノードとサービングノードのＲＡＮ−ＩＮＦＯＲＭＡＴＩＯＮ−ＲＥＱＵＥＳＴ／Ｍｕｌｔｉｐｌｅ Ｒｅｐｏｒｔメッセージであることが好ましく、制御ノードがサービングノードとのＲＡＮ−ＩＮＦＯＲＭＡＴＩＯＮ−ＲＥＱＵＥＳＴ／Ｍｕｌｔｉｐｌｅ  Ｒｅｐｏｒｔメッセージに報知周期を携帯し、サービングノードのシステム情報が変更した時又は制御ノードが要求した報知周期に達した時、サービングノードがいずれもシステム情報を制御ノードに報知する必要があり、これにより、制御ノードは所定の時間間隔（一つ又は複数の報知周期）内にサービングノードが報知したシステム情報を複数回受信できていないと、サービングノードに異常が発生したと認定し、制御ノードはＲＩＭプロセスを再び開始することによって、取得したシステム情報の有効性を保証し、サービングノードに異常が発生した場合、制御ノードはサービングノードの異常を感知することができ、従って、異なるシステムのシステム情報が一致しないことで異なるシステムでのハンドオーバー又はリダイレクトに失敗する失敗率を有効に低減させることができる。
【００２３】
図２は、本発明の実施例に係る制御ノードがシステム情報を複数回報知する要求を開始すること及びサービングノードがシステム情報を報知することを示すフローチャートであり、図２に示すように、以下のステップを含む。
制御ノードは、サービングノードにシステム情報を複数回報知する要求を発し、当該要求メッセージ（ＲＡＮ−ＩＮＦＯＲＭＡＴＩＯＮ−ＲＥＱＵＥＳＴ／Ｍｕｌｔｉｐｌｅ  Ｒｅｐｏｒｔ）には新しい増加されたＲｅｐｏｒｔ Ｉｎｔｅｒｖａｌ（報知周期）を携帯している（ステップＳ１０２）。
【００２４】
サービングノードは、ＲＡＮ−ＩＮＦＯＲＭＡＴＩＯＮ−ＲＥＱＵＥＳＴ／Ｍｕｌｔｉｐｌｅ  Ｒｅｐｏｒｔを受信した後、直ちにＲＡＮ−ＩＮＦＯＲＭＡＴＩＯＮ ＰＤＵ／Ｉｎｉｔｉａｌ Ｍｕｌｔｉｐｌｅ Ｒｅｐｏｒｔを返送し、要求メッセージには新しい増加された報知周期を携帯していると、当該報知周期を記憶し、報知間隔タイマーをスタートする（ステップＳ１０４）。
【００２５】
サービングノードは、システム情報が変更したか、又は報知間隔タイマーが設定した時間に達したかを判定し、ＹＥＳであるとステップＳ１０８に移行し、ＮＯであるとプロセスを終了する（ステップＳ１０６）。
【００２６】
サービングノードは、制御ノードにＲＡＮ−ＩＮＦＯＲＭＡＴＩＯＮ ＰＤＵ／Ｍｕｌｔｉｐｌｅ Ｒｅｐｏｒｔを返送し、メッセージ中のシーケンス番号（RIM Sequence Number）に１を加算する（ステップＳ１０８）。
【００２７】
本実施例において、ＲＡＮ−ＩＮＦＯＲＭＡＴＩＯＮ−ＲＥＱＵＥＳＴ／Ｍｕｌｔｉｐｌｅ ＲｅｐｏｒｔメッセージにＲｅｐｏｒｔ Ｉｎｔｅｒｖａｌ（報知周期）を追加し、制御ノードが複数回の報知周期に達した期間内にサービングノードから返送されたシステム情報を受信できていないと、制御ノードはサービングノードとの連絡が切れた又はサービングノードに異常が発生したと認定し、従って、ＲＩＭプロセスを再び開始することができる。
【００２８】
上記に記載のメッセージの構成は以下の表に示すとおりである。
【００２９】
【表１】
2015515233.tif 000003
【００３０】
【表２】
2015515233.tif 000004
【００３１】
【表３】
2015515233.tif 000005
【００３２】
ここで、上記表２中のＲｅｐｏｒｔ Ｉｎｔｅｒｖａｌは本実施例における新しい増加された報知周期であって、その構成は表３に示すとおりであって、当該報知周期の値は一つのバイトで示し（即ち、上記表３における八つの二進法ビットで表す）、対応する値は１２０ミリ秒（ｍｓ）、２４０ミリ秒、 ４８０ミリ秒、６４０ミリ秒、１０２４ミリ秒、２０４８ミリ秒、５１２０ミリ秒、１０２４０ミリ秒、１分（ｍｉｎ）、６分、１２分、３０分又は６０分であることができ、また、当該表３中の報知周期は事前に確保したフィールドであるｓｐａｒｅ３、ｓｐａｒｅ２、ｓｐａｒｅ１も有し、当該報知周期が上記値以外の他の値であることもできることを表する。
【００３３】
上記ステップＳ１３において、制御ノードが、受信番号が増加されていなく、且つ、未増加の回数が予定の最高回数に達したと確定した場合、サービングノードのＲＩＭプロセスと同期していないと認定する（ステップＳ１３１）ステップを含むことが好ましい。
【００３４】
上記ステップＳ１３１において、制御ノードが今回に受信したシステム情報の受信番号が前回に受信したシステム情報の受信番号より増加していないと判定すると、受信番号の未増加回数を示す識別フィールド又は計数機の値に１を加算し、そうでないと、識別フィールド又は計数機の値を取り除いて、プロセスを終了することと、識別フィールド又は計数機の値が予定の最高回数に達したと、サービングノードのＲＩＭプロセスと同期していないと認定し、そうでないと、プロセスを終了することとを含むことが好ましい。
【００３５】
図３は、本発明の実施例に係る制御ノードが報知周期に従ってサービングノードのＲＩＭプロセスと同期しているか否かを検査することを示すフローチャートであり、図３に示すように、当該制御ノードが報知周期に従ってサービングノードのＲＩＭプロセスと同期しているか否かを検査するプロセスは以下のステップを含む。
制御ノードは、サービングノードが報知したシステム情報を受信し、報知されたシステム情報の受信番号（又はＲＩＭシーケンス番号）が受信ウィンドウ内であると、受信した当該システム情報の受信番号を記憶する（ステップＳ２０２）。
【００３６】
制御ノードは、報知周期に従って複数回受信したシステム情報のＲＩＭシーケンス番号が増加したか否かを定期的に検査する（ステップＳ２０４）。
【００３７】
制御ノードは、ＲＩＭシーケンス番号が増加していないと判定した場合、未増加の回数（具体的に識別フィールド又は計数器で実現する）に１を加算し、ステップＳ２０８へ移行し、そうでないと、未増加の識別フィールド又は計数機の値を取り除いて、プロセスを終了する（ステップＳ２０６）。
【００３８】
未増加の識別フィールドが最高回数（Ｎ）に達したか否かを判定し、達したと、ステップＳ２１０に移行し、そうでないと、プロセスを終了する（ステップＳ２０８）。
【００３９】
制御ノードは、異なるシステムのサービングノードにＲＩＭプロセスの非同期性（再起動又は連絡が切れる）が発生したと判定する（ステップＳ２１０）。
【００４０】
上記ステップＳ１１〜Ｓ１４の後、
制御ノードは報知周期を更新する際、サービングノードにＲＩＭプロセスの停止を通知し、サービングノードに更新された報知周期を携帯している、システム情報を複数回報知する要求メッセージを送信するプロセスを再び開始する（ステップＳ１５）ステップを更に含むことができる。
【００４１】
ここで、ステップＳ１５には、制御ノードが報知周期の更新命令を受信した後、命令に応じて更新された報知周期を取得するステップ（ステップＳ１５１）と、制御ノードが、サービングノードが停止要求メッセージに応じてＲＩＭプロセスのシステム情報の報知プロセスを停止するように、サービングノードに停止要求メッセージを送信し、また、サービングノードから返信された停止証明メッセージを受信するステップ（ステップＳ１５２）と、制御ノードが停止証明メッセージを受信した後、サービングノードが更新された報知周期に従ってサービングノードが位置するシステムのシステム情報を報知するように、サービングノードに更新された報知周期を携帯している、システム情報を複数回報知する要求メッセージのプロセスを再び開始するステップ（ステップＳ１５３）とを含むことが好ましい。
【００４２】
図４は、本発明の実施例に係る制御ノードが報知周期を修正する際にサービングノードに通知することを示すフローチャートであり、図４に示すように、当該制御ノードが報知周期を修正する際にサービングノードに通知するプロセスは以下のステップを含む。
制御ノードは、例えばバックグラウンドの配置インターフェースからトリガーされた報知周期の修正のような報知周期の更新命令を受信する（ステップＳ３０２）。
【００４３】
制御ノードは、サービングノードにＲＡＮ−ＩＮＦＯＲＭＡＴＩＯＮ−ＲＥＱ/ＳＴＯＰメッセージを送信して、サービングノードにＲＩＭプロセスのシステム情報報知プロセスの停止を通知し、サービングノードは停止メッセージを受信した後、直ちにＲＩＭの異なるシステムのシステム情報報知プロセスを停止し、停止証明メッセージを返送する（ステップＳ３０４）。
【００４４】
制御ノードは、サービングノードのＲＩＭプロセスの停止証明メッセージを受信した後、ＲＡＮ−ＩＮＦＯＲＭＡＴＩＯＮ−ＲＥＱ/Ｍｕｌｔｉｐｌｅ  Ｒｅｐｏｒｔメッセージを再び発し（ステップＳ３０６）、メッセージには修正された報知周期を携帯している。
【００４５】
サービングノードは、新しい報知周期を記憶し、報知周期に従ってタイマーを開始させ、タイマーが設定時間に達したと、サービングノードは異なるシステムのシステム情報を報知する（ステップＳ３０８）。
【００４６】
上記実施例において、サービングノードに異常（再起動、制御ノードとの通信リンクに異常が発生した等の状況）が発生した時、制御ノードがサービングノードの異常を感知できない問題を解決し、異なるシステムのシステム情報が一致しないことで異なるシステムでのハンドオーバー又はリダイレクトに失敗する失敗率を有効に低減させることができる。
【００４７】
図５は、本発明の実施例に係る制御ノードの構成を示す図で、図５に示すように、本実施例によると上記実施例中の制御ノードのようなノードを提供し、当該制御ノードは、
サービングノードに報知周期を携帯している、システム情報を複数回報知する要求メッセージを送信する送信モジュール５０１と、
サービングノードが要求メッセージに応じて報知した、サービングノードが位置するシステムのシステム情報が変更した時又は報知周期に達した時に報知されたシステム情報を受信する受信モジュール５０２と、
報知周期に従って複数回報知されたシステム情報の受信番号を検査し、受信番号に基づいてサービングノードの無線アクセスネットワーク情報管理ＲＩＭプロセスと同期しているか否かを判定し、ここで、受信番号が増加し且つ受信ウィンドウ内であると、サービングノードと互いに無線アクセスネットワーク情報管理ＲＩＭプロセスの同期状態を保持していると認定し、そうでないと、サービングノードのＲＩＭプロセスと同期していないと認定することが好ましい判定モジュール５０３と、
サービングノードのＲＩＭプロセスと同期していない場合、再びＲＩＭプロセスを開始する処理モジュール５０４と、を含む。
【００４８】
当該制御ノードは、上記報知周期を更新し、報知周期を更新する際にサービングノードにＲＩＭプロセスのシステム情報報知プロセスの停止を通知し、サービングノードに更新された報知周期を携帯している、システム情報を複数回報知する要求メッセージを送信するプロセスを再び開始する更新モジュール５０５をさらに含むことが好ましい。
【００４９】
判定モジュールは、サービングノードのＲＩＭプロセスと同期していないと判定した場合、さらに、受信した複数のシステム情報の受信番号が増加していなく、且つ、未増加の回数が予定の最高回数に達したと確定した場合、サービングノードのＲＩＭプロセスと同期していないと認定することが好ましい。
【００５０】
更新モジュールは、受信した報知周期の更新命令に応じて、更新された報知周期を取得する取得ユニットと、サービングノードが停止要求メッセージに応じてＲＩＭプロセスのシステム情報報知プロセスを停止するように、サービングノードに停止要求メッセージを送信し、サービングノードから返信された停止証明メッセージを受信する送信サブユニットと、停止証明メッセージを受信した後、サービングノードが更新された報知周期に従ってサービングノードが位置するシステムのシステム情報を報知するように、サービングノードに更新された報知周期を携帯している、システム情報を複数回報知する要求メッセージのプロセスを開始するように、送信モジュールを再び制御する制御サブユニットとを含むことが好ましい。
【００５１】
当該制御ノードがサービングノードとのサービングノードにシステム情報の報知を要求する要求メッセージ（ＲＡＮ−ＩＮＦＯＲＭＡＴＩＯＮ−ＲＥＱＵＥＳＴ／Ｍｕｌｔｉｐｌｅ  Ｒｅｐｏｒｔ）に報知周期を携帯し、サービングノードのシステム情報が変更した時又は制御ノードが要求した報知周期に達した時、サービングノードがいずれもシステム情報を制御ノードに報知する必要があることによって、制御ノードは所定の時間間隔（一つ又は複数の報知周期）内にサービングノードが報知したシステム情報を複数回受信できていないと、サービングノードに異常が発生したと認定し、制御ノードはＲＩＭプロセスを再び開始することによって取得したシステム情報の有効性を保証し、サービングノードに異常が発生した場合、制御ノードはサービングノードの異常を感知でき、従って、異なるシステムのシステム情報が一致しないことで異なるシステムでのハンドオーバー又はリダイレクトに失敗する失敗率を有効に低減できる。
【００５２】
以上は、本発明の好適な実施例に過ぎず、当業者であれば、本発明の精神や原則内での如何なる改良や修正が可能であり、これらの改良や修正が発明の保護範囲内に含まれる。
【符号の説明】
【００５３】
５０１  送信モジュール
５０２  受信モジュール
５０３  判定モジュール
５０４  処理モジュール
５０５  更新モジュール
【図１】
2015515233.tif 000006
【図２】
2015515233.tif 000007
【図３】
2015515233.tif 000008
【図４】
2015515233.tif 000009
【図５】
2015515233.tif 000010
【国際調査報告】
2015515233.tif 000011
2015515233.tif 000012
2015515233.tif 000013
2015515233.tif 000014